(57)【要約】【課題】ローカルディミング（エリア調光）を適用して輝度均一性を確保しながら薄型化、高コントラスト化を具現し得るバックライトユニットを提供する。【解決手段】このユニットは、シャーシ３上に配備された複数の光源１と各光源１からの光を照射面５側に導いて出射する複数の光学部品２ｂとが組み合わされて成る。各光学部品２ｂはシャーシ３上で各光源１の出射面側を入射部２１で覆うように配置され、各光源１の配光特性を変化させる構造を有する。各光源１は、それらの光軸がそれぞれ照射面５に略垂直に配置される。各光学部品２ｂは、光軸から離れるに従い厚みが漸減する形状で、出射面２２に光学特性の異なる領域２２１ｂが幾何的に周期性を持つパターンで配置され、照射面５側から観た輪郭形状が正方形で形成されている。照射面５での照度分布を均一化する場合、各光源１の光軸に対して対称な照度分布となり、照度分布の均一化を容易に設計できる。【選択図】図２
2012129105.tif 000002
【特許請求の範囲】
【請求項１】
少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、
前記光源は、光軸が前記照射面に略垂直になるように配置され、前記光学部品は、光軸から離れるに従い厚みが漸減する形状であって、前記照射面側の出射面に少なくとも一つ以上の光学特性の異なる領域を有すると共に、当該照射面側から観た輪郭形状が多角形で形成されたことを特徴とするバックライトユニット。
【請求項２】
少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、
前記光源は、光軸が前記照射面に略垂直になるように配置され、前記光学部品は、光軸から離れるに従い厚みが漸減する形状であって、前記照射面側の出射面に少なくとも一つ以上の光学特性の異なる領域を有すると共に、当該領域が幾何的に周期性を持つ所定のパターンで配置され、且つ当該照射面側から観た輪郭形状が多角形で形成されたことを特徴とするバックライトユニット。
【請求項３】
少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、
前記光源は、光軸が照射面に略垂直になるように配置され、前記光学部品は、光軸から離れるに従い厚みが漸減する形状であって、前記照射面側の出射面に少なくとも一つ以上の光学特性の異なる領域を有すると共に、当該領域が幾何的に周期性を持つ所定のパターンで配置され、且つ当該所定のパターンが当該光源を中心とした２つ以上の同心円に挟まれて当該光源から放射状に伸ばした直線で区切られる複数の領域における選択された箇所を示し、更に、当該照射面側から観た輪郭形状が多角形で形成されたことを特徴とするバックライトユニット。
【請求項４】
請求項１〜請求項３の何れか１項記載のバックライトユニットにおいて、前記光学部品における前記照射面側には、出射光量調整手段が具備されたことを特徴とするバックライトユニット。
【請求項５】
請求項１〜請求項４の何れか１項記載のバックライトユニットにおいて、前記光学部品のうちの少なくとも一つ以上のものは、一体的に形成されたことを特徴とするバックライトユニット。
【請求項６】
請求項１〜請求項５の何れか１項記載のバックライトユニットにおいて、前記光学部品の形状が周辺部で異なるように形成されたことを特徴とするバックライトユニット。
【請求項７】
請求項１〜請求項６の何れか１項記載のバックライトユニットを備えたことを特徴とする液晶表示装置。
【発明の詳細な説明】
【技術分野】
【０００１】
本発明は、液晶表示装置に代表される映像表示装置のバックライト技術に係り、特に薄型で輝度均一性が高く、光の強度を高輝度で複数の領域毎に個別に制御するためのエリア調光（所謂ローカルディミングと呼ばれるもの）に好適なバックライトユニット、及びそれを用いた液晶表示装置に関する。
【背景技術】
【０００２】
近年、液晶表示装置のバックライトユニットとして、液晶パネルの一端側もしくは両端側に光源を配置して液晶パネルを照射するようにしたサイドライト方式のタイプのものが知られている。このサイドライト方式に係る周知技術としては、側面からの入射光を隅部まで均一に配光できる導光板を備えた「サイドライト型面光源装置」（特許文献１参照）が挙げられる。
【０００３】
また、その他の種類のバックライトユニットとして、光源を液晶パネルの背面側に多数配列してバックライトを構成した所謂直下方式のタイプのものも知られている。この直下方式に係る周知技術としては、発光面の輝度を均一化すると共に、薄型化が可能な「バックライト装置及びバックライト装置の駆動方法」（特許文献２参照）が挙げられる。
【先行技術文献】
【特許文献】
【０００４】
【特許文献１】特開２００８−１０３１６２号公報
【特許文献２】特開２００８−１０３２００号公報
【発明の概要】
【発明が解決しようとする課題】
【０００５】
上述した特許文献１に係るサイドライト方式の技術は、液晶表示装置を薄型化するためには有利であるが、光源が装置端部に集中して配置されるため、光源の熱が装置端部に集中して放熱が困難となってしまうばかりでなく、ローカルディミングの適用や大型化が困難であるといった基本的な特性面や構造面での問題がある。
【０００６】
また、特許文献２に係る直下方式の技術は、液晶パネルの全面を均等に照射するためには液晶パネルと光源との距離を或る程度大きくする必要があるため、構造的に薄型化には不利であるという問題がある。因みに、直下方式で液晶表示装置を薄型化するためには、光源数を増やす必要あるが、こうした要件を充足させればコスト高や消費電力の上昇を招くために好ましくない。
【０００７】
要するに、周知なバックライトユニットでは、構造面及び特性面の双方において、ローカルディミングを適用して輝度均一性を確保しながら薄型化、高コントラスト化を具現し難いという問題がある。
【０００８】
本発明は、このような問題点を解決すべくなされたもので、その技術的課題は、ローカルディミングを適用して輝度均一性を確保しながら薄型化、高コントラスト化を具現し得るバックライトユニット及びそれを用いた液晶表示装置を提供することにある。
【課題を解決するための手段】
【０００９】
上記技術的課題を達成するため、本発明の第１の形態は、少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、光源は、光軸が照射面に略垂直になるように配置され、光学部品は、光軸から離れるに従い厚みが漸減する形状であって、照射面側の出射面に少なくとも一つ以上の光学特性の異なる領域を有すると共に、当該照射面側から観た輪郭形状が多角形で形成されたことを特徴とする。
【００１０】
また、本発明の第２の形態は、少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、光源は、光軸が照射面に略垂直になるように配置され、光学部品は、光軸から離れるに従い厚みが漸減する形状であって、照射面側の出射面に少なくとも一つ以上の光学特性の異なる領域を有すると共に、当該領域が幾何的に周期性を持つ所定のパターンで配置され、且つ当該照射面側から観た輪郭形状が多角形で形成されたことを特徴とする。
【００１１】
更に、本発明の第３の形態は、少なくとも一つ以上の光源と当該光源からの光を照射面側に導いて出射するための光学部品との組を複数有して構成されると共に、当該光学部品が当該光源の出射面側に配置され、且つ当該光源の配光特性を変化させる構造を有するバックライトユニットにおいて、光源は、光軸が照射面に略垂直になるように配置され、光学部品は、光軸から離れるに従い厚みが漸減する形状であって、照射面側の出射面に少なくとも一つ以上の光学特性の異なる領域を有すると共に、当該領域が幾何的に周期性を持つ所定のパターンで配置され、且つ当該所定のパターンが当該光源を中心とした２つ以上の同心円に挟まれて当該光源から放射状に伸ばした直線で区切られる複数の領域における選択された箇所を示し、更に、当該照射面側から観た輪郭形状が多角形で形成されたことを特徴とする。
【００１２】
加えて、本発明の第４の形態は、第１の形態〜第３の形態の何れか１つのバックライトユニットにおいて、光学部品における照射面側には、出射光量調整手段が具備されたことを特徴とする。
【００１３】
一方、本発明の第５の形態は、第１の形態〜第４の形態の何れか１つのバックライトユニットにおいて、光学部品のうちの少なくとも一つ以上のものは、一体的に形成されたことを特徴とする。
【００１４】
他方、本発明の第６の形態は、第１の形態〜第５の形態の何れか１つのバックライトユニットにおいて、光学部品の形状が周辺部で異なるように形成されたことを特徴とする。
【００１５】
その他、本発明の第７の形態の液晶表示装置は、第１の形態〜第６の形態の何れか１つのバックライトユニットを備えたことを特徴とする。
【発明の効果】
【００１６】
本発明のバックライトユニットによれば、ローカルディミングの適用で制御単位当たりの照射範囲を制御し、他の意図しない照射領域に入射する不要光を抑制することが可能となるため、輝度均一性を確保しながら装置の薄型化、高コントラスト化を具現しており、液晶表示装置への搭載が好適となる。
【図面の簡単な説明】
【００１７】
【図１】本発明の実施例１に係るバックライトユニットの基本構造を示した概略図であり、（ａ）は一部構成部品となる光学部品を別途抽出した部分を含めて上方向から観た照射面を除く要部の斜視図（鳥瞰図）、（ｂ）は局部の基本構造となる照射面を含めた光源ユニットの断面図、（ｃ）は光学部品の上方向からの平面図である。
【図２】本発明の実施例２に係るバックライトユニットの基本構造を示した概略図であり、（ａ）は光学部品の上方向からの平面図、（ｂ）は局部の基本構造となる照射面を含めた光源ユニットの断面図である。
【図３】本発明の実施例３に係るバックライトユニットの基本構造を示した概略図であり、（ａ）は光学部品の上方向からの平面図、（ｂ）は局部の基本構造となる照射面を含めた光源ユニットの断面図である。
【図４】本発明の実施例４に係るバックライトユニットの基本構造を示した概略図であり、（ａ）は光学部品の上方向からの平面図、（ｂ）は局部の基本構造となる照射面を含めた光源ユニットの断面図である。
【図５】本発明の実施例５に係るバックライトユニットの基本構造を一部構成部品となる光学部品を別途抽出した部分を含めて上方向から示した照射面を除く要部の外観斜視図（鳥瞰図）である。
【図６】本発明の実施例６に係るバックライトユニットの基本構造を一部構成部品となる光学部品を別途抽出した部分を含めて上方向から示した照射面を除く要部の外観斜視図（鳥瞰図）である。
【図７】図５に示した実施例５に係るバックライトユニット及び照射面を用いて構成した液晶表示装置の概略構成を示した外観斜視図（鳥瞰図）である。
【発明を実施するための形態】
【００１８】
以下、本発明のバックライトユニット、及びそれを用いた液晶表示装置について、幾つかの実施例を挙げ、図面を参照して詳細に説明する。
【実施例１】
【００１９】
図１は、本発明の実施例１に係るバックライトユニットの基本構造を示した概略図であり、同図（ａ）は一部構成部品となる光学部品２ａを別途抽出した部分を含めて上方向から観た照射面５を除く要部の斜視図（鳥瞰図）、同図（ｂ）は局部の基本構造となる照射面５を含めた光源ユニットの断面図、同図（ｃ）は光学部品２ａの上方向からの平面図である。
【００２０】
実施例１に係るバックライトユニットは、シャーシ３上の所定箇所に配備された複数の光源１と各光源１からの光を照射面５側に導いて出射するための複数の光学部品２ａとが組み合わされて各光学部品２ａ同士が結合されるように構成されており、各光学部品２ａについてはシャーシ３上で各光源１の出射面側を半球状に凹んだ入射部２１で覆うように配置され、且つ各光源１の配光特性を変化させる構造を有している。また、ここでの各光源１は、それらの光軸がそれぞれ照射面５に略垂直になるように配置されており、各光学部品２ａは、光軸から離れるに従い厚みが漸減する形状であって、出射面２２側に少なくとも一つ以上の光学特性の異なる領域を有すると共に、照射面５側から観た輪郭形状が正方形で形成されている。
【００２１】
各光源１には、例えば発光ダイオード（ＬＥＤ）やレーザ等の発光素子を用いるものとする。これらの各光源１は、例えばＡＧＳＰ（Ａｄｖａｎｃｅｄ  Ｇｒａｄｅ  Ｓｏｌｉｄ−Ｂｕｍｐ  Ｐｒｏｃｅｓｓ）やアルミナ、ガラエポ、ＰＣＢ（Ｐｏｌｙｃｈｌｏｒｉｎａｔｅｄ  Ｂｉｐｈｅｎｙｌ）等の材質による配線基板上に発光素子が実装されて構成される。配線基板は、熱伝導率が高い材質で構成されていることが望ましい。各光学部品２ａについては、各光源１からの出射光を取り込み易くするため、入射部２１の形状を各光源１を中心とした略半球状の凹み空間として設ける構成としたが、更に各光学部品２ａと屈折率が近い材質で各光源１との隙間である凹み空間を埋める構造としても良い。
【００２２】
各光学部品２ａは、アクリル、ＰＭＭＡ（Ｐｏｌｙｍｅｔｈｙｌｍｅｔｈａｃｒｙｌａｔｅ）、ゼオノア、ＢＭＣ（ｂｕｌｋ  ｍｏｌｄｉｎｇ  ｃｏｍｐｏｕｎｄ）、ＯＺ、ポリカ、シリコン、ガラス等の透明な材質から成るものであれば良い。また、各光学部品２ａの表面の一部（出射面２２の一部）に、光学特性を調整するための領域を加工を施して設ける。係る領域の形成は、例えば光の透過性、反射性、拡散性、配光分布を調整するための光学的な凹凸や、或いは光の透過率、反射率を制御する空間的なパターニングの何れかを採択して施せば良いものである。これらの凹凸や空間的なパターニングは、例えばドット印刷、微細パターン、金型形成の技術を用いて形成することができる。更に、拡散反射シート、ミラー、拡散シート、プリズムシート、拡散板、偏光選択性の反射フィルム等の各種光学部材を組み合わせても良く、蒸着、印刷により上述した光学特性を持たせるようにしても良い。加えて、略図するが、各光学部品２ａとシャーシ３との位置決めのため、各光学部品２ａ又はシャーシ３上の所定箇所に位置決め用や固定用のダボ、穴、溝等を設けるようにしても良いし、シャーシ３と各光学部品２ａとの間に光学シートを配置した構成としても良い。
【００２３】
何れにせよ、１つの光源１と１つの光学部品２ａとを一つの組にした光源ユニットを、例えばアルミニウム等の金属や樹脂等から成るシャーシ３上に固定又は実装し、照射面５と対向するように配置する。尚、ここでは、光源ユニットを１つの光源１に対して１つの光学部品２ａを組み合わせた構成とするが、必ずしも光源１の数と光学部品２ａの数とは等しくなくても良い。
【００２４】
ところで、図１（ｃ）に示されるように、ここでの各光学部品２ａの上方向である照射面５側から観た輪郭形状は正方形であるが、その他に２次元的（平面状）に敷き詰められる形状であれば、例えば正三角形、四角形（正方形以外の長方形）、正六角形等の他の形状の多角形としても良いし、更に係る多角形同士に隙間を設ける構成としても良い。
【００２５】
このような構成のバックライトユニットでは、各光源１から発光した光が各光学部品２ａの入射部２１から入射し、各光学部品２ａの出射面２２と空気との屈折、或いは全反射の作用により出射面２２から出射するとき、出射面２２に形成された領域で光線の出射量、出射方向が調整されることによって配光分布を変化させ、照射面５での照度分布が均一化される。ここでの各光学部品２ａの出射面２２の形状は、図１（ｂ）に示されるように、各光源１の光軸から離れるに従って高さが増大する曲面で構成されている。このような構成により、各光源１から出射した光軸付近の光線を広がる方向にそれぞれ屈折させ、配光分布を広げられる。一方、光軸から離れた方向の出射光については、各光学部品２ａの出射面２２に対向する底面２３に入射させ、各光源１の光軸寄りに配光を変化させるように、底面２３の形状を凸形状に構成することで実現できる。また、底面２３が凸形状を有することにより、底面２３に入射した光線を出射面へ高効率で反射させることが可能である。例えば凸形状は、光源１の位置を略焦点とし、その光軸を回転軸とする回転二次曲面としても良い。但し、ここで説明した各光学部品２ａの形状はあくまでも一例であって、これに限定されるものではない。
【００２６】
係る光学部品２ａ（光源ユニット）が複数敷き詰められたバックライトユニットでは、照射面５上での照射領域の形状を制御することが可能となり、各光源１のみで照射した場合と比べて照度分布を均一化しながら、照射領域の境界部分に存在する輝度が低下する領域を狭めることが可能となる。即ち、輝度が低下する領域を狭めることが可能であるため、隣接する光源ユニットが受け持つ照射領域への漏れ光を抑制することが可能になる。この結果、実施例１に係るバックライトユニットでは、ローカルディミング（エリア調光）を実施すると、隣接する照射領域への漏れ光による黒浮きを抑制し、均一化設計を容易に行うことができ、省電力効果、高コントラスト化を効果的に実現することができる。
【実施例２】
【００２７】
図２は、本発明の実施例２に係るバックライトユニットの基本構造を示した概略図であり、同図（ａ）は光学部品２ｂの上方向からの平面図、同図（ｂ）は局部の基本構造となる照射面５を含めた光源ユニットの断面図である。
【００２８】
実施例２に係るバックライトユニットは、実施例１の場合と同様に、シャーシ３上の所定箇所に配備された複数の光源１と各光源１からの光を照射面５側に導いて出射するための複数の光学部品２ｂとが組み合わされて各光学部品２ｂ同士が結合されるように構成されるもので、各光学部品２ｂについてはシャーシ３上で各光源１の出射面側を半球状に凹んだ入射部２１で覆うように配置され、且つ各光源１の配光特性を変化させる構造を有している。また、ここでの各光源１についても、それらの光軸がそれぞれ照射面５に略垂直になるように配置されている。但し、ここでの各光学部品２ｂは、図２（ａ）、（ｂ）に示されるように、光軸から離れるに従い厚みが漸減する形状であって、照射面５側の出射面２２に光学特性の異なる領域２２１ｂが幾何的に周期性を持つ所定のパターンで５箇所配置され、照射面５側から観た輪郭形状が正方形で形成されている。
【００２９】
図２（ａ）、（ｂ）を参照すれば、ここでも各光学部品２ｂの照射面５側から観た輪郭形状は正方形であるが、実施例１の場合と同様に他の形状の多角形にもできるため、各光学部品２ｂの形状は開示したものに限定されない。
【００３０】
図２（ａ）、（ｂ）に示される領域２２１ｂは、１つの光源１の光軸上とそれを中心とした同心円上に周期的に配置されるように設けられている。この領域２２１ｂについても、実施例１で説明した凹凸や空間的なパターニングを施す場合と同様にして形成すれば良いものである。
【００３１】
このような構成のバックライトユニットにおいて、一般的に各光源１の発光分布は各光源１の光軸に対して対称形となるため、照射面５上で各光源１の光軸に対称な照度分布を得ることが可能となる。照射面５での照度分布を均一化する場合、各光源１の光軸に対して対称な照度分布となるため、照度分布の均一化を容易に設計することができる。この結果、実施例２に係るバックライトユニットでは、ローカルディミング（エリア調光）を実施すると、実施例１の場合と同様に、隣接する照射領域への漏れ光を抑制し、均一化設計を容易に行うことができ、省電力効果、高コントラスト化を効果的に実現することができる。
【実施例３】
【００３２】
図３は、本発明の実施例３に係るバックライトユニットの基本構造を示した概略図であり、同図（ａ）は光学部品２ｃの上方向からの平面図、同図（ｂ）は局部の基本構造となる照射面５を含めた光源ユニットの断面図である。
【００３３】
実施例３に係るバックライトユニットは、実施例１の場合と同様に、シャーシ３上の所定箇所に配備された複数の光源１と各光源１からの光を照射面５側に導いて出射するための複数の光学部品２ｃとが組み合わされて各光学部品２ｃ同士が結合されるように構成されるもので、各光学部品２ｃについてはシャーシ３上で各光源１の出射面側を半球状に凹んだ入射部２１で覆うように配置され、且つ各光源１の配光特性を変化させる構造を有している。また、ここでの各光源１についても、それらの光軸がそれぞれ照射面５に略垂直になるように配置されている。但し、ここでの各光学部品２ｃは、図３（ａ）、（ｂ）に示されるように、光軸から離れるに従い厚みが漸減する形状であって、照射面５側の出射面２２に光学特性の異なる領域２２１ｃを有すると共に、領域２２１ｃが幾何的に周期性を持つ所定のパターンで配置されている。また、ここでの所定のパターンは、光源１を中心とした２つ以上の同心円に挟まれて光源１から放射状に伸ばした直線で区切られる複数の領域における選択された箇所（ここでは同一円周上で隔てられた箇所）を示している。更に、ここでも各光学部品２ｃは、照射面５側から観た輪郭形状が正方形で形成されている。
【００３４】
図３（ａ）、（ｂ）を参照すれば、ここでも各光学部品２ｃの照射面５側から観た輪郭形状は正方形であるが、実施例１の場合と同様に他の形状の多角形にもできるため、各光学部品２ｃの形状は開示したものに限定されない。
【００３５】
図３（ａ）、（ｂ）に示される領域２２１ｃは、上述した所定のパターン、即ち、１つの光源１の光軸を中心とした２つ以上の同心円上であって、光源１から放射状に伸ばした直線で区切られる複数の領域における同一円周上で隔てられた箇所に周期性を持って設けられている。但し、係る領域２２１ｃは、区切られた各領域の１つの領域内に複数の設けられる構成であっても良い。尚、この領域２２１ｃについても、実施例１で説明した凹凸や空間的なパターニングを施す場合と同様にして形成すれば良いものである。
【００３６】
このような構成のバックライトユニットは、実施例２の場合と同様に、各光源１の光軸に対して対称な照度分布を得ることが可能となる。また、各光源１の光軸から離れるに従って交互に現れる領域２２１ｃによって配光分布を部分的に制御し、更なる照度の均一化を可能にする。構造上、照射面５と光学部品２ｃの出射面２２とが近づくとき、領域２２１ｃが配置される周期を短くして細かくすれば、照射面５上での照度ムラを低減することが可能となる。この結果、実施例３に係るバックライトユニットにおいても、ローカルディミング（エリア調光）を実施すると、実施例１や実施例２の場合と同様に、隣接する照射領域への漏れ光を抑制し、均一化設計を容易に行うことができ、省電力効果、高コントラスト化を効果的に実現することができる。
【実施例４】
【００３７】
図４は、本発明の実施例４に係るバックライトユニットの基本構造を示した概略図であり、（ａ）は光学部品２ｃの上方向からの平面図、（ｂ）は局部の基本構造となる照射面５を含めた光源ユニットの断面図である。
【００３８】
実施例４に係るバックライトユニットは、実施例３の構成において、光学部品２ｃの照射面５側の出射面２２の近傍に出射光量調整手段としての出射光量調整部材４が備えられたものである。このような出射光量調整部材４は、実施例１や実施例２のバックライトユニットにおいても適用可能なものである。
【００３９】
出射光量調整部材４は、例えば表面に光の透過性、反射性、拡散性、配光分布を調整するための光学的な凹凸、或いは透過率や反射率を制御する空間的なパターニングの何れかが施されているシート状又は板状の光学部材であり、各光源１の光軸に対して対称な光学特性を有していることが望ましい。また、出射光量調整部材４には、略図するが、固定用又は位置決め用のための穴、切欠等を設けても良い。
【００４０】
出射光量調整部材４に施されるパターニングは、各光源１の光軸に対して対称で、且つ周期的に繰り返されていることが望ましい。また、構造上、照射面５と出射光量調整部材４とが近づくとき、出射光量調整部材４に施されるパターンが配置される周期を短くして細かくすることが望ましい。
【００４１】
このような構成のバックライトユニットは、出射光量調整部材４を備えることにより、更なる照度分布の均一化を図ることが可能である。この結果、実施例３の構成によりも照度分布の均一化の設計を容易にすることができる。また、実施例１や実施例２の構成に出射光量調整部材４を備えた場合にも同様な効果が得られる。
【実施例５】
【００４２】
図５は、本発明の実施例５に係るバックライトユニットの基本構造を一部構成部品となる光学部品２ｄを別途抽出した部分を含めて上方向から示した照射面５を除く要部の外観斜視図（鳥瞰図）である。
【００４３】
実施例５に係るバックライトユニットは、実施例１の構成における光学部品２ａを複数単位（ここでは４個）で一体的に形成したユニット構造の光学部品２ｄを用い、総計４個の光学部品２ｄを結合して構成されたものである。このユニット構造の光学部品２ｄについても、出射面２２側の輪郭形状は正方形となる。このような一体的に形成したユニット構造は、実施例２の構成における光学部品２ｂや実施例３の構成における光学部品２ｃについても適用可能なものであり、何れの場合にも２次元的（平面状）に敷き詰める作製時の製造工数を削減することが可能となる。因みに、光学特性を維持させるために、各光学部品２ｄの境界にスリット状の溝を設けても良いし、反射シートを入れるための溝を設ける構成としても良い。各光学部品２ａが光軸から離れるに従い厚みが漸減する形状であるため、光学部品２ｄの境界部は他の箇所と比較して薄い構造となっている。従って、光学特性を維持させるためには、溝が比較的浅くても実現可能となり、溝を形成し易い構造となっている。また、反射シートは、シャーシ３側から折り曲げて立てる方式を採用し、組み立て性の改善を図ることが望ましい。
【実施例６】
【００４４】
図６は、本発明の実施例６に係るバックライトユニットの基本構造を一部構成部品となる光学部品２ｅを別途抽出した部分を含めて上方向から示した照射面５を除く要部の外観斜視図（鳥瞰図）である。
【００４５】
実施例６に係るバックライトユニットは、２次元的（平面状）に敷き詰める作製時に周辺部の形状が異なるように、実施例１の構成における光学部品２ａの形状について、一体化形成時の配置パターンにおける周辺側に位置される並びのものの形状を他部に位置されるものの形状とは変化させ、一方向における寸法を大にしたものを含めて複数単位（ここでは４個）で一体的に形成したユニット構造の光学部品２ｅを用いて構成されたものである。即ち、図６に示されるユニット構造の光学部品２ｅの構造では、周辺側となる右側上下に位置される並びの２個が左側上下に位置される並びの２個よりも左右方向での寸法が大となっている。それ故、このユニット構造の光学部品２ｅについては、出射面２２側の輪郭形状は長方形となる。このような一部形状を異ならせたユニット構造は、実施例２の構成における光学部品２ｂや実施例３の構成における光学部品２ｃについても適用可能なものである。因みに、図６に示されるバックライトユニットは、左側上下に配置される２個を出射面２２側の輪郭形状が正方形の実施例５で説明したユニット構造の光学部品２ｄとし、右側上下に配置される２個を出射面２２側の輪郭形状が長方形の光学部品２ｅとし、これらの各光学部品２ｄ及び各光学部品２ｅを結合した構造となっている。
【００４６】
このように、バックライトユニットの周辺部で形状を変化させるための光学部品２ｅを用いれば、作製時の製造工数を削減することが可能となる他、照射サイズの拡張が容易になり、しかも各光源１の個数を削減することが可能になるため、低コスト化、省エネ化が可能になる。
【実施例７】
【００４７】
図７は、上記実施例５に係るバックライトユニット及び照射面５を用いて構成した液晶表示装置の概略構成を示した外観斜視図（鳥瞰図）である。
【００４８】
実施例７に係る液晶表示装置は、実施例５の構成のバックライトユニットと照射面５とを用い、バックライトユニットに対して略図する電源、映像表示処理部、映像信号処理部、バックライト制御部を具備させたものである。また、略図するが、照射面５には、輝度を更に均一化して向上させるために拡散板、プリズムシート、拡散シート、偏光選択性の反射シート等を配置しても良い。液晶表示装置として構成する場合、その他の各実施例で説明したバックライトユニットを適用しても、同様に構成することができる。
【００４９】
上述したバックライトユニットに具備される各部について、映像信号処理部は、入力された映像信号に合わせてバックライトの設定すべき輝度情報を算出する。バックライト制御部では、バックライトの発光状態を制御する。映像表示処理部では、バックライトの発光状態の制御に合わせて演算した結果に基づいて映像表示デバイスを駆動する。この結果、各実施例に係るバックライトユニットが持つ効果が得られ、液晶表示装置においては薄型、省エネ化、高画質化が実現される。
【００５０】
以上の各実施例で開示した構成及び内容は、種々変更可能であるため、本発明のバックライトユニット、及びそれを用いた液晶表示装置は、各実施例で開示した構成内容のものに限定されない。
【符号の説明】
【００５１】
１  光源、
２ａ、２ｂ、２ｃ、２ｄ、２ｅ  光学部品
３  シャーシ
４  出射光量調整部材
５  照射面
６  液晶表示
２１  入射部
２２  出射面
２３  底面
２２１ｂ、２２１ｃ  領域
【図１】
2012129105.tif 000003
【図２】
2012129105.tif 000004
【図３】
2012129105.tif 000005
【図４】
2012129105.tif 000006
【図５】
2012129105.tif 000007
【図６】
2012129105.tif 000008
【図７】
2012129105.tif 000009